(57)【特許請求の範囲】
【請求項１】
ズームレンズ（１）を有するマルチクロミナンスチャネルカラーテレビジョンカメラの光電変換装置（３，４，５）の撮像領域の上側又は下側区域の口径食を補正する方法であって、前記ズームレンズ（１）の実際に設定されている絞り開口値が対物レンズ固有の限界絞り開口値を超えた際に発生する口径食を補償する口径食補正方法において、
前記ズームレンズの操作中の絞り開口値を示す絞り開口信号（ＥＢ）及びズーム量を示すズームレンズ設定信号（ＥＺ）をそれぞれ発生し、
ズームレンズの操作により絞り開口値が前記限界絞り開口値を超えた場合、前記絞り開口信号（ＥＢ）及び前記ズームレンズ設定信号（ＥＺ）を用いて、フィールド周波数鋸波状信号を制御するための制御信号を発生し、
前記制御信号により制御された鋸波状制御信号により各クロミナンスチャネルのビデオ信号を制御して口径食補償を行うことを特徴とする口径食補正方法。
【請求項２】
請求項１に記載の方法において、前記制御信号の振幅を安定させるため、１ライン期間の幅を有するフィールド周波数の基準クロックパルスを前記制御信号に付加し、この基準クロックパルスを付加することにより前記制御信号の振幅を自動的に調整することを特徴とする方法。
【請求項３】
請求項１に記載の方法において、前記限界絞り開口値並びにズームレンズの広角設定及び望遠設定の限界ズームレンズ設定値が、種々の対物レンズ毎に記憶されていることを特徴とす方法。
【請求項４】
請求項１に記載の方法において、前記絞り開口信号とズームレンズ設定信号とを相互に乗算して積信号を発生することを特徴とする方法。
【請求項５】
請求項４に記載の方法において、前記積信号に前記フィールド周波数鋸波状信号を乗算して前記鋸波状制御信号を発生させることを特徴とする方法。
【請求項６】
ズームレンズ（１）を有するマルチクロミナンスチャネル（Ｒ，Ｇ，Ｂ）カラーテレビジョンカメラの光電変換装置（３，４，５）の撮像領域の上側又は下側区域の口径食を補正する口径食補正回路において、
操作中の絞り開口値を示す絞り開口信号（ＥＢ）が入力する第１の入力部（２７）と、フィールド周波数の基準クロックパルス（ＴＲ１）が入力する第２の入力部と、対物レンズ固有の限界絞り開口値を示す信号が入力する第３の入力部とを有し、出力部が自動増幅器制御回路（３８，３９）を介して第１の乗算器（４１）の第１の入力部に接続されている第１の加算段（３４）を具える第１の制御枝路（３２）と、
前記ズームレンズ（１）の操作中のズーム量を示すズームレンズ設定信号（ＥＺ）が入力する第１の入力部（２８）と、当該ズームレンズ（１）固有の広角撮像モードの限界値及び望遠撮像モードの限界値を示す信号が入力する第２の入力部と、フィールド周波数の基準クロックパルス（ＴＲ２）が入力する第３の入力部とを有し、出力部が自動増幅器制御回路（４５，４６）を介して前記第１の増幅器（４１）の第２の入力部に接続されている第２の加算段（４２）を具える第２の制御枝路（３３）と、
第２の乗算器（２２）であって、第１の入力部が前記第１の乗算器（４１）の出力部に接続され、第２の入力部にフィールド周波数の鋸波信号が入力し、出力部から鋸波状の制御信号（ＫＳＺ）が取り出され、当該制御信号は、前記カラーテレビジョンカメラのクロミナンスチャネル（Ｒ，Ｇ，Ｂ）の各ビデオ信号処理回路（１１，１２，１３）の制御信号入力部に供給される第２の乗算器（２２）とを具えることを特徴とする口径食補正回路。
【請求項７】
前記限界絞り開口値並びにズームレンズの広角撮像モードの限界値及び望遠撮像モードの限界値を含む対物レンズ固有のデータが記憶されているメモリ装置（２４）を有し、当該メモリ装置の（２４）の出力部をＤ／Ａ変換器（３１）を介して前記第１及び第２の加算段（３４，４２）の第３の入力部に接続したことを特徴とする請求項６に記載の口径食補正回路。
【請求項８】
請求項７に記載の口径食補正回路において、前記メモリ装置（２４）を各ズームレンズ毎に設け、ズームレンズが交換される場合当該メモリ装置も交換可能であることを特徴とする口径食補正回路。
【発明の詳細な説明】
【０００１】
【産業上の利用分野】
本発明は、ズームレンズを有するマルチチャネルカラーテレビジョンカメラの光電変換装置の撮像領域の上側又は下側区域の口径食を補正する方法に関するものである。
【０００２】
【従来の技術】
カラーテレビジョンカメラ、すなわちカメラレンズ特に種々の絞り開口のズームレンズ並びにビームスプリッタの両方に入射する光によって多チャネルカラーテレビジョンカメラの各光電変換装置の光感知面上に種々の口径食が生じ、表示スクリーン上に表示される画像の明るさが変化し、例えば中央部が周辺部よりも明るくなることが知られている。これらの口径食は各撮像区域にほぼ等しく作用し、この口径食は、一般にビデオ信号をライン及びフィールド周波数の鋸波及び放物線状の電圧を用いて制御することにより電子的に補償できる。
【０００３】
【発明が解決しようとする課題】
ズームレンズを用いる場合、絞り開口がズーム設定に応じて所定の値だけ、例えば2.8 から1.4 まで増加すると、別の口径食が観測され、異なるクロミナンスチャネルの光電変換装置が広角設定及び望遠設定の両方において互いに異なって照明されてしまう。広角設定において、光電変換装置は、対物レンズの出射瞳が光学的に制限されることに起因して下側領域よりも上側領域が弱く照明されてしまう。また、青及び赤のクロミナンスチャネルの光ビームの異なる入射角におけるビームスプリッタのダイクロイック層の効果により下側領域よりも上側領域の方が弱く照明され、一方緑のクロミナンスチャネルにおいては下側領域よりも上側領域の方が一層強く照明される。これとは逆に、例えば所定の望遠設定値において光電変換装置は、対物レンズの入射瞳の制限及び青及び赤のクロミナンスチャネルにおけるビームスプリッタの効果によって下側領域よりも上側領域の方が一層強く照明され、一方緑のチャネルにおいては上側領域よりも下側領域の方が強く照明されてしまう。従って、対物レンズ固有の絞り開口で広角設定において白色の被写体を撮像する場合、カラーテレビジョンモニタの表示スクリーン上においては上側領域は緑が強く表示され、下側領域はある程度赤紫色に表示されてしまう。望遠設定において、表示スクリーンの上側及び下側領域の変色は反転するので、上側領域は赤紫色になり下側領域は緑がかってしまう。この変色は、絞り開口が大きくなるに従って並びにズーム設定が限界に近づくに従って一層強くなる。
【０００４】
従って、本発明の目的は、冒頭部で述べた口径食補正方法において、変色を除去できる口径食補正方法を提供することにある。
【０００５】
【課題を解決するための手段並びに作用】
本発明による口径食補正方法は、ズームレンズ（１）を有するマルチクロミナンスチャネルカラーテレビジョンカメラの光電変換装置（３，４，５）の撮像領域の上側又は下側区域の口径食を補正する方法であって、前記ズームレンズ（１）の実際に設定されている絞り開口値が対物レンズ固有の限界絞り開口値を超えた際に発生する口径食を補償する口径食補正方法において、前記ズームレンズの操作中の絞り開口値を示す絞り開口信号（ＥＢ）及びズーム量を示すズームレンズ設定信号（ＥＺ）をそれぞれ発生し、ズームレンズの操作により絞り開口値が前記限界絞り開口値を超えた場合、前記絞り開口信号（ＥＢ）及び前記ズームレンズ設定信号（ＥＺ）を用いて、フィールド周波数鋸波状信号を制御するための制御信号を発生し、前記制御信号により制御された鋸波状制御信号により各クロミナンスチャネルのビデオ信号を制御して口径食補償を行うことを特徴とする。このように構成することにより、口径食が適切に補正され、カラーテレビジョンカメラの各ズームレンズに対して自動的に変色を適切に除去することができる。
【０００６】
【実施例】
図１は本発明を説明するために必要なカラーテレビジョンカメラの一部を示す。撮像すべき視野の像は、交換可能なズームレンズ１及びカラー分離用のダイクロイック層を有するビームスプリッタ２を介してクロミナンスチャネル赤（Ｒ）、緑（Ｇ）及び青（Ｂ）毎に例えば半導体センサ（ＣＣＤ）のような光電変換装置３，４，５上に結像する。光電変換装置３，４，５のビデオ信号出力は、ビデオ信号を増幅する前置増幅器６，７，８の対応する入力部に接続する。前記増幅器６，７，８へのビデオ信号経路にビデオ信号処理回路を結合し、この信号処理回路において既知方法でビデオ信号を補正しさらに増幅し、その後ビデオ信号を出力端子１４，１５，１６から取り出すことができ、並びにさらに別の処理を行う。
【０００７】
各ビデオ信号処理回路１１，１２，１３は制御可能な増幅器をそれぞれ具え、その増幅度は制御入力部における制御信号ＫＲ，ＫＧ，ＫＢによって変更することができる。これら制御信号は加算段１７，１８，１９で発生し、これら加算段においては例えば異なる口経食によって生じた別の補正信号Ｋ１，Ｋ２，Ｋ３を結合する。さらに、加算段１７，１８，１９は回路２１からの本発明による方法によって発生した別の鋸歯状波制御信号ＫＳＺ１，ＫＳＺ２，ＫＳＺ３も入力する。回路２１は、例えば多段Ｄ／Ａ変換器のような電子的に制御可能な電圧分割器として作動する。これら鋸歯状波制御信号ＫＳＺは乗算器２２により発生し、この乗算器は鋸歯波発生器２３からフィールド周波数の鋸歯状波信号及び実際の記憶されている対物レンズデータに依存しフィールド周波数の鋸歯状波信号を制御する制御電圧を受信する。
【０００８】
上記制御電圧は、ズーム設定及びズームレンズ１の絞り開口の実際の位置の値並びに対物レンズ固有の限界絞り開口値及びメモリ（ＲＡＭ又はＥＰＲＯＭ）２４に記憶されている限界ズーム設定値に基づき制御回路２６を介して発生する。尚、制御回路２６の詳細な説明及びその動作は図２に基づき後述する。
【０００９】
操作中における絞り開口の実際の設定値及び実際のズーム設定値に基づき、設定信号ＥＢ及びＥＺを制御回路２６にそれぞれ供給する。さらに、ズームレンズ１はメモリ２４から識別信号ＵＯを取り出して関連する対物レンズ固有のデータを読み出す。さらに、メモリ２４は回路２１に対して制御信号（クロック及びデータ信号）を供給する。
【００１０】
図２は図１のメモリ２４に関連する制御回路２６のブロック線図である。前述したように、“広角”及び“望遠”モードについての限界値並びに限界絞り開口値に関する対物レンズ固有のデータを、対物レンズ識別信号ＵＯに基づいてメモリ２４から読み出すことができる。これらのデータ信号はＤ／Ａ変換器３１を介して限界絞り開口値に対するアナログ電圧値として絞り制御枝路３２に供給すると共に“広角”及び“望遠”モードの限界値に対応するアナログ電圧としてズーム制御回路枝路３３に供給する。
【００１１】
Ｄ／Ａ変換器３１の第１の出力部を加算回路３４の入力部に接続する。この加算回路の別の入力部には実際の絞り信号ＥＢが（端子２７を介して）入力すると共に基準クロック信号ＴＲ１も入力する。この基準入力信号ＴＲ１は１ライン期間のパルス幅を有するフィールド周波数パルス信号とする。限界絞り開口値を超えるの場合、実際の絞り開口値に基づいて発生したフィールド周波数のパルスを有する直流信号を加算回路３４の出力部から取り出すことができる。この信号はフィールドバック経路中に配置されフィールド周波数パルス信号によって制御される制御可能な増幅器３６、リミッタ３７、サンプルホールド回路３８、並びに積分回路３９を有する増幅制御回路に供給する。制御可能な増幅器３６は、例えば 1.5Ｖのような所定の電圧値を超えないようにフィードバック制御電圧によって適切に調整され、後段の乗算器４１を過負荷から保護する。絞り制御枝路３２の出力信号は乗算器４１の第１入力部に供給する。
【００１２】
ズーム制御枝路３３は別の加算回路４２を含み、その第１入力部をＤ／Ａ変換器３１の第２出力部に接続し、その第２入力部には端子２８を介して実際のズーム信号ＥＺを入力させ、その第３入力部には基準クロック信号ＴＲ２を供給する。基準クロック信号ＴＲ２も、１ライン期間のパルス幅を有するフィールド周波数パルス信号とする。操作中のズーム値が、広角又は望遠モードの限界値を超える場合には、実際のズーム設定に基づいて発生したフィールド周波数パルスを有する直流信号も加算回路４２の出力部から取り出すことができる。この信号は、フィードバック経路中に配置されフィールド周波数パルス信号によって制御される制御可能な増幅器４３、リミッタ４４及びサンプルホールド回路４５並びに積分回路４６を有する増幅器制御回路に供給する。同様に、この増幅器制御回路において、制御可能な増幅器４３は所定の電圧値を超えないように適切に調整される。増幅器制御回路の出力部を乗算器４１の第２入力部に接続する。乗算器４１の第３の反転入力部は、Ｄ／Ａ変換器３１の第３出力部からの制御電圧を対称的に調整するためのズームオフセット信号ＯＺを受信する。乗算器２２（図１）のフィールド周波数鋸歯状波信号を制御する制御電圧は、乗算器４１の出力部から取り出すことができる。
【００１３】
例えば 2.8のような所定の最小絞り開口値と最大絞り開口値との間において、乗算器４１の第１入力部には、広角設定の場合絞り開口値ＥＢに応じて増大する直流電圧が入力し、第２入力部には、最初はズームオフセット電圧以下であり、従って制御電圧として非動作となるリミッタ４４からの直流電圧が入力する。ズームレンズが所定の望遠設定の場合だけ、リミッタ４４から取り出される直流電圧がズームオフセット電圧を超え、従って鋸歯信号の位相を変化させる。ビデオ信号処理回路１１，１２，１３は、回路２１及び加算段１７，１８，１９を経て供給される制御されたフィールド周波数鋸歯信号によって適切に制御され、限界絞り開口値の範囲内において並びに広角設定及び望遠設定の両方に対する限界ズーム設定の動作限界範囲内において口経食のないビデオ信号Ｒ，Ｇ，Ｂを取り出すことができる。
【図面の簡単な説明】
【図１】図１は本発明に必要なフィードバック経路を含むカラーテレビジョンカメラのブロック線図である。
【図２】図２は本発明による口経食補正回路を示すブロック線図である。
【符号の説明】
１  ズームレンズ
２  ビームスプリッタ
３，４，５  光電変換装置
１１，１２，１３  信号処理回路
１７，１８，１９  加算器
２２，４１  乗算器
２３  鋸歯発生器
２４  メモリ
３４，４２  加算回路
【図１】
0003649450.tif 000002
【図２】
0003649450.tif 000003